【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
マンモグラム画像データから異常陰影候補を検出する異常陰影候補検出手段を備えた画像診断支援装置において、
前記異常陰影候補検出手段は、左右の乳房から得られた左右のマンモグラム画像データに対して位置合わせを行い、前記左右のマンモグラム画像データの乳房領域内を複数の領域に分割し、前記分割された領域毎に異常陰影候補の特徴量を比較し、前記比較された結果に基づいて異常陰影候補の真陽性／偽陽性を判別することを特徴とする画像診断支援装置。
【請求項２】
請求項１に記載の画像診断支援装置において、
前記異常陰影候補は、微小石灰化病変を対象としたものであることを特徴とする画像診断支援装置。
【請求項３】
請求項２に記載の画像診断支援装置において、
前記異常陰影候補の特徴量は、石灰化部分の大きさ、個数、円形度、不整形度又はコントラストを含むことを特徴とする画像診断支援装置。
【請求項４】
マンモグラム画像データから異常陰影候補を検出する異常陰影候補検出工程を含む画像診断支援方法において、
前記異常陰影候補検出工程では、左右の乳房から得られた左右のマンモグラム画像データに対して位置合わせを行い、前記左右のマンモグラム画像データの乳房領域内を複数の領域に分割し、前記分割された領域毎に異常陰影候補の特徴量を比較し、前記比較された結果に基づいて異常陰影候補の真陽性／偽陽性を判別することを特徴とする画像診断支援方法。
【請求項５】
請求項４に記載の画像診断支援方法において、
前記異常陰影候補は、微小石灰化病変を対象としたものであることを特徴とする画像診断支援方法。
【請求項６】
請求項５に記載の画像診断支援方法において、
前記異常陰影候補の特徴量は、石灰化部分の大きさ、個数、円形度、不整形度又はコントラストを含むことを特徴とする画像診断支援方法。
【請求項７】
コンピュータを、マンモグラム画像データから異常陰影候補を検出する異常陰影候補検出手段として機能させるためのプログラムにおいて、
前記異常陰影候補検出手段は、左右の乳房から得られた左右のマンモグラム画像データに対して位置合わせを行い、前記左右のマンモグラム画像データの乳房領域内を複数の領域に分割し、前記分割された領域毎に異常陰影候補の特徴量を比較し、前記比較された結果に基づいて異常陰影候補の真陽性／偽陽性を判別することを特徴とするプログラム。
【請求項８】
請求項７に記載のプログラムにおいて、
前記異常陰影候補は、微小石灰化病変を対象としたものであることを特徴とするプログラム。
【請求項９】
請求項８に記載のプログラムにおいて、
前記異常陰影候補の特徴量は、石灰化部分の大きさ、個数、円形度、不整形度又はコントラストを含むことを特徴とするプログラム。
【手続補正２】
【補正対象書類名】明細書
【補正対象項目名】発明の名称
【補正方法】変更
【補正の内容】
【発明の名称】画像診断支援装置、画像診断支援方法及びプログラム
【手続補正３】
【補正対象書類名】明細書
【補正対象項目名】０００１
【補正方法】変更
【補正の内容】
【０００１】
本発明は、画像診断支援装置、画像診断支援方法及びプログラムに係り、特に医師が放射線画像を読影する際、その診断の効率化を図る画像診断支援装置、画像診断支援方法及びプログラムに関する。
【手続補正４】
【補正対象書類名】明細書
【補正対象項目名】０００６
【補正方法】変更
【補正の内容】
【０００６】
本発明は上記の従来技術における問題に鑑みてなされたものであって、異常陰影候補から偽陽性候補を削除し、診断効率を向上させることができる画像診断支援装置、画像診断支援方法及びプログラムを提供することを課題とする。
【手続補正５】
【補正対象書類名】明細書
【補正対象項目名】０００７
【補正方法】変更
【補正の内容】
【０００７】
請求項１に記載の発明は、マンモグラム画像データから異常陰影候補を検出する異常陰影候補検出手段を備えた画像診断支援装置において、前記異常陰影候補検出手段は、左右の乳房から得られた左右のマンモグラム画像データに対して位置合わせを行い、前記左右のマンモグラム画像データの乳房領域内を複数の領域に分割し、前記分割された領域毎に異常陰影候補の特徴量を比較し、前記比較された結果に基づいて異常陰影候補の真陽性／偽陽性を判別することを特徴としている。
【手続補正６】
【補正対象書類名】明細書
【補正対象項目名】０００８
【補正方法】変更
【補正の内容】
【０００８】
請求項２に記載の発明は、請求項１に記載の画像診断支援装置において、前記異常陰影候補は、微小石灰化病変を対象としたものであることを特徴としている。
【手続補正７】
【補正対象書類名】明細書
【補正対象項目名】０００９
【補正方法】変更
【補正の内容】
【０００９】
請求項３に記載の発明は、請求項２に記載の画像診断支援装置において、前記異常陰影候補の特徴量は、石灰化部分の大きさ、個数、円形度、不整形度又はコントラストを含むことを特徴としている。
【手続補正８】
【補正対象書類名】明細書
【補正対象項目名】００１０
【補正方法】変更
【補正の内容】
【００１０】
請求項４に記載の発明は、マンモグラム画像データから異常陰影候補を検出する異常陰影候補検出工程を含む画像診断支援方法において、前記異常陰影候補検出工程では、左右の乳房から得られた左右のマンモグラム画像データに対して位置合わせを行い、前記左右のマンモグラム画像データの乳房領域内を複数の領域に分割し、前記分割された領域毎に異常陰影候補の特徴量を比較し、前記比較された結果に基づいて異常陰影候補の真陽性／偽陽性を判別することを特徴としている。
【手続補正９】
【補正対象書類名】明細書
【補正対象項目名】００１１
【補正方法】変更
【補正の内容】
【００１１】
請求項５に記載の発明は、請求項４に記載の画像診断支援方法において、前記異常陰影候補は、微小石灰化病変を対象としたものであることを特徴としている。
【手続補正１０】
【補正対象書類名】明細書
【補正対象項目名】００１２
【補正方法】変更
【補正の内容】
【００１２】
請求項６に記載の発明は、請求項５に記載の画像診断支援方法において、前記異常陰影候補の特徴量は、石灰化部分の大きさ、個数、円形度、不整形度又はコントラストを含むことを特徴としている。
【手続補正１１】
【補正対象書類名】明細書
【補正対象項目名】００１３
【補正方法】変更
【補正の内容】
【００１３】
請求項７に記載の発明は、コンピュータを、マンモグラム画像データから異常陰影候補を検出する異常陰影候補検出手段として機能させるためのプログラムにおいて、前記異常陰影候補検出手段は、左右の乳房から得られた左右のマンモグラム画像データに対して位置合わせを行い、前記左右のマンモグラム画像データの乳房領域内を複数の領域に分割し、前記分割された領域毎に異常陰影候補の特徴量を比較し、前記比較された結果に基づいて異常陰影候補の真陽性／偽陽性を判別することを特徴としている。
【手続補正１２】
【補正対象書類名】明細書
【補正対象項目名】００１４
【補正方法】変更
【補正の内容】
【００１４】
請求項８に記載の発明は、請求項７に記載のプログラムにおいて、前記異常陰影候補は、微小石灰化病変を対象としたものであることを特徴としている。
【手続補正１３】
【補正対象書類名】明細書
【補正対象項目名】００１５
【補正方法】変更
【補正の内容】
【００１５】
請求項９に記載の発明は、請求項８に記載のプログラムにおいて、前記異常陰影候補の特徴量は、石灰化部分の大きさ、個数、円形度、不整形度又はコントラストを含むことを特徴としている。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
請求項１、２、４、５、７、８に記載の発明によれば、左右の乳房から得られた左右のマンモグラム画像データに対して位置合わせを行い、左右のマンモグラム画像データの乳房領域内を複数の領域に分割し、分割された領域毎に異常陰影候補の特徴量を比較するので、高精度の比較を行うことができる。したがって、精度よく異常陰影候補の真陽性／偽陽性を判別することができるので、異常陰影候補から偽陽性候補を削除し、診断効率を向上させることができる。
【手続補正１６】
【補正対象書類名】明細書
【補正対象項目名】００１８
【補正方法】変更
【補正の内容】
【００１８】
請求項３、６、９に記載の発明によれば、異常陰影候補の特徴量として、石灰化部分の大きさ、個数、円形度、不整形度又はコントラストについて左右のマンモグラム画像データの比較を行うので、精度よく異常陰影候補の真陽性／偽陽性を判別することができる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】